(57)【要約】【課題】複眼撮像装置に適用したスライド式レンズバリアのスタック現象を抑制する技術を提供する。【解決手段】３Dデジタルビデオカメラ１（複眼撮像装置）は、レンズLと、レンズLによって被写体像が結像されるCCD６（撮像素子）と、を有する撮像ユニット３（撮像手段）を一対で備える。３Dデジタルビデオカメラ１は、一対の撮像ユニット３に対応した一対の開口１１が形成されたバリアベース７と、一対の開口１１を閉塞するための板状の上バリア８（バリア）と、上バリア８がバリアベース７に対して、高さ方向（一対の開口１１が並ぶ方向に対して略直交する方向）にスライド移動自在とするためのガイド機構E（案内手段）と、上バリア８をスライド移動させる駆動ユニット１０（駆動手段）と、を備える。ガイド機構Eは、一対の開口１１から略等しい距離に配置されている。【選択図】図１
2013167817.tif 000002
【特許請求の範囲】
【請求項１】
レンズと、前記レンズによって被写体像が結像される撮像素子と、を有する撮像手段を一対で備えた複眼撮像装置であって、
前記一対の撮像手段に対応した一対の開口が形成されたバリアベースと、
前記一対の開口を閉塞するための板状のバリアと、
前記バリアが前記バリアベースに対して、前記一対の開口が並ぶ方向に対して略直交する方向にスライド移動自在とするための案内手段と、
前記バリアをスライド移動させる駆動手段と、
を備え、
前記案内手段は、前記一対の開口から略等しい距離に配置されている、
複眼撮像装置。
【請求項２】
レンズと、前記レンズによって被写体像が結像される撮像素子と、を有する撮像手段を一対で備えた複眼撮像装置であって、
前記一対の撮像手段に対応した一対の開口が形成されたバリアベースと、
前記一対の開口を閉塞するための板状のバリアと、
前記バリアが前記バリアベースに対して、前記一対の開口が並ぶ方向に対して略直交する方向にスライド移動自在とするための案内手段と、
前記バリアをスライド移動させる駆動手段と、
を備え、
前記案内手段は、前記一対の開口の間に配置されている、
複眼撮像装置。
【請求項３】
レンズと、前記レンズによって被写体像が結像される撮像素子と、を有する撮像手段を一対で備えた複眼撮像装置であって、
前記一対の撮像手段に対応した一対の開口が形成されたバリアベースと、
前記一対の開口を閉塞するための板状のバリアと、
前記バリアが前記バリアベースに対して、前記一対の開口が並ぶ方向に対して略直交する方向にスライド移動自在とするための案内手段と、
前記バリアをスライド移動させる駆動手段と、
を備え、
前記案内手段は、前記一対の開口が並ぶ方向において、前記一対の開口の間に配置されている、
複眼撮像装置。
【請求項４】
請求項１〜３の何れかに記載の複眼撮像装置であって、
前記案内手段は、
前記バリアベース又は前記バリアの一方に形成され、前記一対の開口の並ぶ方向に対して略直交する方向に延びる案内溝と、
前記バリアベース又は前記バリアの他方に形成され、前記案内溝内に挿入される突起と、
によって構成されている、
複眼撮像装置。
【請求項５】
請求項１〜３の何れかに記載の複眼撮像装置であって、
前記案内手段は、
前記バリアベースに形成され、前記一対の開口の並ぶ方向に対して略直交する方向に延びる案内溝と、
前記バリアに形成され、前記案内溝内に挿入される突起と、
によって構成されている、
複眼撮像装置。
【請求項６】
請求項５に記載の複眼撮像装置であって、
前記駆動手段は、
前記突起が挿入される長孔が形成された駆動アームと、
前記駆動アームを駆動する駆動源と、
によって構成されている、
複眼撮像装置。
【請求項７】
請求項５に記載の複眼撮像装置であって、
前記突起は、前記案内溝の延びる方向に沿って複数、形成されている、
複眼撮像装置。
【請求項８】
請求項７に記載の複眼撮像装置であって、
前記駆動手段は、
前記複数の突起のうち少なくとも何れかが挿入される長孔が形成された駆動アームと、
前記駆動アームを駆動する駆動源と、
によって構成されている、
複眼撮像装置。
【発明の詳細な説明】
【技術分野】
【０００１】
本発明は、複眼撮像装置に関する。
【背景技術】
【０００２】
この種の技術として、特許文献１は、板状をなす一対の羽根と、これら羽根を駆動する駆動機構を備えたレンズバリアを開示している。一対の羽根は、内筒に形成された羽根案内溝に嵌め込まれて上下方向へ移動可能に支持されている。
【先行技術文献】
【特許文献】
【０００３】
【特許文献１】特開平６−６７２６１号公報
【発明の概要】
【発明が解決しようとする課題】
【０００４】
しかしながら、撮影光学系と、撮影光学系により被写体像が結像される撮像素子と、から成る撮像手段を一対で備えた３Ｄ映像を撮影するための複眼撮像装置に上記特許文献１のレンズバリアを適用しようとすると、羽根が左右方向に細長くなってしまい、羽根の移動時にスタック現象（移動不能となる現象）が起きやすくなってしまう虞がある。
【０００５】
本願発明の目的は、複眼撮像装置に適用したスライド式レンズバリアのスタック現象を抑制する技術を提供することにある。
【課題を解決するための手段】
【０００６】
本願発明の第１の観点によれば、レンズと、前記レンズによって被写体像が結像される撮像素子と、を有する撮像手段を一対で備えた複眼撮像装置であって、前記一対の撮像手段に対応した一対の開口が形成されたバリアベースと、前記一対の開口を閉塞するための板状のバリアと、前記バリアが前記バリアベースに対して、前記一対の開口が並ぶ方向に対して略直交する方向にスライド移動自在とするための案内手段と、前記バリアをスライド移動させる駆動手段と、を備え、前記案内手段は、前記一対の開口から略等しい距離に配置されている、複眼撮像装置が提供される。
本願発明の第２の観点によれば、レンズと、前記レンズによって被写体像が結像される撮像素子と、を有する撮像手段を一対で備えた複眼撮像装置であって、前記一対の撮像手段に対応した一対の開口が形成されたバリアベースと、前記一対の開口を閉塞するための板状のバリアと、前記バリアが前記バリアベースに対して、前記一対の開口が並ぶ方向に対して略直交する方向にスライド移動自在とするための案内手段と、前記バリアをスライド移動させる駆動手段と、を備え、前記案内手段は、前記一対の開口の間に配置されている、複眼撮像装置が提供される。
本願発明の第３の観点によれば、レンズと、前記レンズによって被写体像が結像される撮像素子と、を有する撮像手段を一対で備えた複眼撮像装置であって、前記一対の撮像手段に対応した一対の開口が形成されたバリアベースと、前記一対の開口を閉塞するための板状のバリアと、前記バリアが前記バリアベースに対して、前記一対の開口が並ぶ方向に対して略直交する方向にスライド移動自在とするための案内手段と、前記バリアをスライド移動させる駆動手段と、を備え、前記案内手段は、前記一対の開口が並ぶ方向において、前記一対の開口の間に配置されている、複眼撮像装置が提供される。
好ましくは、前記案内手段は、前記バリアベース又は前記バリアの一方に形成され、前記一対の開口の並ぶ方向に対して略直交する方向に延びる案内溝と、前記バリアベース又は前記バリアの他方に形成され、前記案内溝内に挿入される突起と、によって構成されている。
好ましくは、前記案内手段は、前記バリアベースに形成され、前記一対の開口の並ぶ方向に対して略直交する方向に延びる案内溝と、前記バリアに形成され、前記案内溝内に挿入される突起と、によって構成されている。
好ましくは、前記駆動手段は、前記突起が挿入される長孔が形成された駆動アームと、前記駆動アームを駆動する駆動源と、によって構成されている。
好ましくは、前記突起は、前記案内溝の延びる方向に沿って複数、形成されている。
好ましくは、前記駆動手段は、前記複数の突起のうち少なくとも何れかが挿入される長孔が形成された駆動アームと、前記駆動アームを駆動する駆動源と、によって構成されている。
【発明の効果】
【０００７】
本願発明によれば、複眼撮像装置に適用したスライド式レンズバリアのスタック現象を抑制することができる。
【図面の簡単な説明】
【０００８】
【図１】図１は、３Dデジタルビデオカメラのバリアユニットの前面側の分解斜視図である。
【図２】図２は、３Dデジタルビデオカメラのバリアユニットの背面側の分解斜視図である。
【図３】図３は、バリアベースの前面側の斜視図である。
【図４】図４は、バリアベースの背面側の斜視図である。
【図５】図５は、スイングアームの背面側の斜視図である。
【図６】図６は、上バリアの背面側の斜視図である。
【図７】図７は、下バリアの背面側の斜視図である。
【図８】図８は、撮影可能状態におけるバリアユニットの正面図である。
【図９】図９は、閉塞動作の中途におけるバリアユニットの正面図である。
【図１０】図１０は、レンズ保護状態におけるバリアユニットの正面図である。
【図１１】図１１は、レンズ保護状態におけるバリアユニットの背面側の部分斜視図である。
【発明を実施するための形態】
【０００９】
以下、図１〜図７を参照しつつ、本実施形態の３Dデジタルビデオカメラ１（複眼デジタルビデオカメラ、複眼撮像装置）の構造を説明する。
【００１０】
図１及び図２に示すように、３Dデジタルビデオカメラ１は、カメラ本体２と、一対の撮像ユニット３（撮像手段）と、バリアユニット４と、を備えて構成されている。３Dデジタルビデオカメラ１は、一対の撮像ユニット３を有することで、同一被写体を複数視点から見た立体動画や単視点動画（２次元動画）を撮影可能である。
【００１１】
カメラ本体２は、一対の撮像ユニット３を収容すると共に、バリアユニット４を保持する。
【００１２】
各撮像ユニット３は、複数のレンズLを収容したレンズ鏡筒５と、複数のレンズLによって被写体像が結像されるCCD６（Charge Coupled Device、撮像素子）と、によって構成されている。換言すれば、各撮像ユニット３は、複数のレンズLとCCD６を備えて構成されている。各撮像ユニット３は、図１に示すように同じ向きとなるように並べて配置されている。即ち、各撮像ユニット３においてレンズ鏡筒５からCCD６を見る方向は、各撮像ユニット３間で同じである。従って、一方の撮像ユニット３のレンズ鏡筒５の光軸は、他方の撮像ユニット３のレンズ鏡筒５の光軸と略平行となる。なお、厳密にいえば輻輳角があるため、約5度光軸は互いに内側に傾いている。
【００１３】
バリアユニット４は、バリアベース７と、板状の上バリア８（バリア）と、板状の下バリア９と、駆動ユニット１０（駆動手段）と、ガイド機構E（案内手段）と、によって構成されている。バリアベース７には、一対の撮像ユニット３に対応した一対の開口１１が形成されている。上バリア８及び下バリア９は、一対のバリアベース７を閉塞する閉塞位置と、一対のバリアベース７から見て一方側に退避した退避位置と、の間でスライド移動可能に構成されている。
【００１４】
ここで、「光軸方向」「並列方向」「高さ方向」を定義する。「光軸方向」は、一対の撮像ユニット３間で共通する光軸に対して平行な方向である。「光軸方向」のうち、CCD６からレンズLを向く方向を「被写体方向」とし、レンズLからCCD６を向く方向を「反被写体方向」とする。「並列方向」は、「光軸方向」に対して直交する方向であって、一対の撮像ユニット３が並べられる方向である。「並列方向」のうち、カメラ本体２の中央に向かう方向を「並列中央方向」とし、カメラ本体２の中央から離れる方向を「並列反中央方向」とする。「高さ方向」は、「光軸方向」及び「並列方向」の何れにも直交する方向である。「高さ方向」のうち、退避位置から閉塞位置を見る方向を「上方向」とし、閉塞位置から退避位置を見る方向を「下方向」とする。
【００１５】
以下、バリアユニット４の構成を詳細に説明する。
【００１６】
（バリアベース７）
バリアベース７は、光軸方向に対して直交する略矩形状の板体であって、一対の撮像ユニット３から見て被写体方向側に配置されており、カメラ本体２に固定されている。前述した一対の開口１１は、バリアベース７の上方向寄りに形成されている。各開口１１は、各撮像ユニット３に対応するように形成されている。詳しくは、各開口１１は、光軸方向で見たときに各撮像ユニット３のレンズ鏡筒５と重複する位置に形成されている。即ち、各開口１１の開口中心は、各撮像ユニット３のレンズ鏡筒５の光軸と略一致している。また、図３及び図４に示すように、バリアベース７は、被写体方向を向くベース前面７ａと、反被写体方向を向くベース背面７ｂと、を有している。
【００１７】
図３に示すように、ベース前面７ａには、上バリア用スライドガイド１２（案内溝）と、一対の下バリア用スライドガイド１３と、アーム軸受１４と、スプリング収容凹部１５と、が形成されている。図４に示すように、ベース背面７ｂには、減速ギヤ収容部１６が形成されている。
【００１８】
図３に示すように、上バリア用スライドガイド１２は、一対の開口１１から略等しい距離に配置されている。上バリア用スライドガイド１２は、一対の開口１１の間に形成されている。上バリア用スライドガイド１２は、並列方向において、一対の開口１１の間に配置されている。この上バリア用スライドガイド１２は、高さ方向に沿って直線的に延びる溝として形成されている。上バリア用スライドガイド１２の高さ方向における長さは、バリアベース７の高さ方向における長さと略等しい。即ち、上バリア用スライドガイド１２は、バリアベース７の上方向の端部から下方向の端部に至るまで形成されている。
【００１９】
一対の下バリア用スライドガイド１３は、バリアベース７の並列方向端部に配置されている。各下バリア用スライドガイド１３は、各開口１１を挟んで上バリア用スライドガイド１２と反対側に配置されている。各下バリア用スライドガイド１３は、高さ方向に沿って直線的に延びる凸条体として形成されている。各下バリア用スライドガイド１３の高さ方向における長さは、バリアベース７の高さ方向における長さよりも短い。各下バリア用スライドガイド１３は、バリアベース７の高さ方向の中途部から下方向の端部に至るまで形成されている。
【００２０】
アーム軸受１４は、バリアベース７の下方向の端部近傍であって、バリアベース７の並列方向の一端部の近傍に配置されている。即ち、アーム軸受１４は、一方の開口１１から見て下方向側に配置されている。
【００２１】
スプリング収容凹部１５は、アーム軸受１４の近傍に形成されている。
【００２２】
図４に示すように、減速ギヤ収容部１６は、スプリング収容凹部１５（図３参照）の近傍に形成された収容体である。
【００２３】
（駆動ユニット１０）
駆動ユニット１０は、上バリア８を高さ方向にスライド移動させるためのものである。図１及び図２に示すように、駆動ユニット１０は、スイングアーム２０（駆動アーム）と、スイングアーム２０を駆動する駆動源２１と、によって構成されている。
【００２４】
図５に示すように、スイングアーム２０は、光軸方向に対して直交する板体としてのアーム本体２２と回転軸部２３、被駆動部２４によって構成されている。アーム本体２２は、細長く形成されている。アーム本体２２の長手方向の一端部には、アーム本体２２の長手方向に沿って延びる長孔２５が形成されている。長孔２５は、アーム本体２２の長手方向の一端側から、アーム本体２２の長手方向の中央に至るまで延びている。
【００２５】
回転軸部２３及び被駆動部２４は、アーム本体２２の長手方向の他端部に配置されている。回転軸部２３及び被駆動部２４は、アーム本体２２に固定されると共に、反被写体方向に突出する円柱体として形成されている。回転軸部２３は、被駆動部２４を挟んで長孔２５と反対側に配置されている。被駆動部２４は、回転軸部２３と長孔２５の間に配置されている。長孔２５は、被駆動部２４を挟んで回転軸部２３と反対側に配置されている。
【００２６】
図４に示すように、駆動源２１は、電気モータ２６と、減速ギヤユニット２７と、トーションスプリング２８と、によって構成されている。電気モータ２６は、減速ギヤ収容部１６に取り付けられており、図示しない３Dデジタルビデオカメラ１の制御部によって駆動制御される。減速ギヤユニット２７は、減速ギヤ収容部１６に収容されており、電気モータ２６から出力されたトルクを増幅する。トーションスプリング２８は、図３に示すようにスプリング収容凹部１５に収容され、減速ギヤユニット２７によって増幅されたトルクを図５のスイングアーム２０の被駆動部２４に出力する出力部２８ａを有している。
【００２７】
以上の構成で、図５のスイングアーム２０の回転軸部２３を図３のバリアベース７のアーム軸受１４に挿入し、図５のスイングアーム２０の被駆動部２４を図３のスプリング収容凹部１５内のトーションスプリング２８の出力部２８ａと連結させる。これにより、３Dデジタルビデオカメラ１の制御部は、スイングアーム２０を、図３のバリアベース７のアーム軸受１４を回転中心として所定角度範囲内で回転駆動させることができる。
【００２８】
ここで、「閉塞回転方向C」と「退避回転方向O」を定義する。「閉塞回転方向C」は、図３に示すように、バリアベース７を反被写体方向で見て時計回りに相当する回転方向である。「退避回転方向O」は、同様に、図３に示すように、バリアベース７を反被写体方向で見て反時計回りに相当する回転方向である。
【００２９】
（上バリア８）
図６に示すように、上バリア８は、光軸方向に対して直交する板体としての上バリア本体３０と、ガイド突起３１（突起）と、ガイド兼被駆動突起３２（突起）と、突出部３５と、によって構成されている。
【００３０】
上バリア本体３０は、並列方向に沿って細長い略矩形状である。上バリア本体３０の並列方向の長さ３０Wは、図３に示す一対の開口１１のうち、一方の開口１１の並列反中央方向側の縁から、他方の開口１１の並列反中央方向側の縁までの距離１１Wよりも大きい。上バリア本体３０の高さ方向の長さ３０Hは、図３に示す各開口１１の高さ方向の長さ１１Hの半分と略等しい。詳細に言えば、長さ３０Hは、長さ１１Hの半分よりも大きく、長さ１１Hよりも小さい。
【００３１】
上バリア本体３０の上方向側の縁部であって並列反中央方向側の両端部には、一対の肩部３３が夫々、形成されている。
【００３２】
上バリア本体３０の下方向側の縁部であって並列反中央方向側の両端部には、一対の座部３４が夫々、形成されている。
【００３３】
突出部３５は、上バリア本体３０と同様、光軸方向に対して直交する板体であって、上バリア本体３０の下方向側の縁部に接続している。突出部３５は、上バリア本体３０の並列方向の略中央近傍に配置されている。
【００３４】
上バリア本体３０は、反被写体方向を向くベース対向面３０ａを有している。また、突出部３５は、反被写体方向を向くベース対向面３５ａを有している。
【００３５】
ガイド突起３１は、上バリア本体３０のベース対向面３０ａに形成されており、上バリア本体３０のベース対向面３０ａから反被写体方向へ突出する円柱体である。ガイド突起３１は、上バリア本体３０の上方向の端部の近傍に形成されている。ガイド突起３１は、上バリア本体３０の並列方向の略中央に配置されている。即ち、ガイド突起３１は、上バリア８の並列方向の略中央に位置している。
【００３６】
ガイド兼被駆動突起３２は、突出部３５のベース対向面３５ａに形成されており、突出部３５のベース対向面３５ａから反被写体方向へ突出する円柱体である。突出部３５は、上バリア８の並列方向の略中央に位置している。
【００３７】
図６に示すように、ガイド突起３１とガイド兼被駆動突起３２は、何れも、上バリア８の並列方向の略中央に位置している。従って、ガイド突起３１とガイド兼被駆動突起３２は、高さ方向に並べて配置されていると言及できる。
【００３８】
（下バリア９）
図７に示すように、下バリア９は、光軸方向に対して直交する板体としての下バリア本体４０と、突出部４１と、一対の肩支持部４２と、一対の座部４３と、一対のスライドガイド４４と、一対の肩部４５と、によって構成されている。
【００３９】
下バリア本体４０は、並列方向に沿って細長い略矩形状である。下バリア本体４０の並列方向の長さ４０Wは、図６の上バリア本体３０の長さ３０Wに略等しい。下バリア本体４０の高さ方向の長さ４０Hは、図６の上バリア本体３０の長さ３０Hと略等しい。
【００４０】
突出部４１は、下バリア本体４０と同様、光軸方向に対して直交する板体であって、下バリア本体４０の下方向側の縁部に接続している。突出部４１は、下バリア本体４０の並列方向の略中央近傍に配置されている。
【００４１】
各肩支持部４２は、下バリア本体４０と同様、光軸方向に対して直交する板体であって、高さ方向に沿って細長い略矩形状である。各肩支持部４２は、下バリア本体４０の上方向側の縁部に接続している。各肩支持部４２は、下バリア本体４０の並列方向の両端部に配置されている。
【００４２】
各座部４３は、高さ方向に対して直交する板体である。各座部４３は、下バリア本体４０の下方向側の縁部に接続している。各座部４３は、下バリア本体４０の並列方向の両端部の近傍に配置されている。各座部４３は、下バリア本体４０から反被写体方向に突出するように形成されている。
【００４３】
各スライドガイド４４は、並列方向に対して直交する板体であって、高さ方向に沿って細長い略矩形状である。各スライドガイド４４は、下バリア本体４０の並列反中央方向側の縁部と、各肩支持部４２の並列反中央方向側の縁部と、に接続している。各スライドガイド４４は、下バリア本体４０及び各肩支持部４２から反被写体方向に突出するように形成されている。
【００４４】
各肩部４５は、高さ方向に対して直交する板体である。各肩部４５は、各肩支持部４２の上方向側の縁部に接続している。各肩部４５は、各肩支持部４２から反被写体方向に突出するように形成されている。
【００４５】
（ガイド機構E）
本実施形態においてガイド機構Eは、図３に示す上バリア用スライドガイド１２と、図６に示すガイド突起３１及びガイド兼被駆動突起３２と、によって実現されている。
【００４６】
（組み立て）
次に、バリアユニット４の組み立て方法を説明する。先ず、図４に示す駆動源２１を組み立てる。
【００４７】
次に、図５のスイングアーム２０の回転軸部２３を図３のバリアベース７のアーム軸受１４に挿入し、図５のスイングアーム２０の被駆動部２４を図３のトーションスプリング２８の出力部２８ａと連結させる。
【００４８】
次に、図６の上バリア８のガイド突起３１とガイド兼被駆動突起３２を図３のバリアベース７の上バリア用スライドガイド１２内に挿入する。これにより、上バリア８のガイド突起３１及びガイド兼被駆動突起３２と、バリアベース７の上バリア用スライドガイド１２と、から成るガイド機構Eが組み上がる。このガイド機構Eの存在により、上バリア８はバリアベース７に対して高さ方向にスムーズにスライド移動自在となる。
【００４９】
また、上記のように図６の上バリア８のガイド兼被駆動突起３２を図３のバリアベース７の上バリア用スライドガイド１２内に挿入するに際しては、図６の上バリア８のガイド兼被駆動突起３２を、図５のスイングアーム２０の長孔２５に挿入した上で、図３のバリアベース７の上バリア用スライドガイド１２内に挿入する。これにより、駆動源２１の出力トルクを、スイングアーム２０とガイド兼被駆動突起３２を順に介して上バリア８に伝達可能となる。
【００５０】
次に、バリアベース７に取り付けた上バリア８の被写体方向側に下バリア９を配置する。このとき、図７の下バリア９の各スライドガイド４４を、図３のバリアベース７の各下バリア用スライドガイド１３に嵌め合わせる。これにより、下バリア９は、バリアベース７に対して高さ方向にスライド移動自在となる。
【００５１】
最後に、バリアユニット４を構成する上バリア８や下バリア９等がバリアベース７から脱落するのを防止するための図示しない脱落防止カバーをバリアベース７に取り付ける。
【００５２】
（作動）
次に、図８〜図１１を参照しつつ、バリアユニット４の作動を説明する。
【００５３】
図８には、３Dデジタルビデオカメラ１の撮影可能状態を示している。図８の撮影可能状態において、上バリア８及び下バリア９は、何れも退避位置に位置している。図８に示すように、撮影可能状態において上バリア８の上バリア本体３０と、下バリア９の下バリア本体４０とは、光軸方向において略完全に重複している。
【００５４】
この状態で、所望の撮影を終え、３Dデジタルビデオカメラ１の図示しない電源ボタンが押下されると、３Dデジタルビデオカメラ１の制御部は、図４の電気モータ２６を起動させる。即ち、電気モータ２６は、図８及び図９に示すように、スイングアーム２０を閉塞回転方向Cに回転駆動させる。このとき、上バリア８のガイド兼被駆動突起３２は、スイングアーム２０の長孔２５とバリアベース７の上バリア用スライドガイド１２の両方に挿入されているので、ガイド兼被駆動突起３２は、長孔２５と上バリア用スライドガイド１２の双方によって拘束される。即ち、ガイド兼被駆動突起３２は、常に、長孔２５と上バリア用スライドガイド１２の交点に居続けようとする。一方で、スイングアーム２０の閉塞回転方向Cへの回転により、上記の交点は上方向へ移動する。従って、スイングアーム２０の閉塞回転方向Cへの回転により、上バリア８は、上方向へとスライド移動する。
【００５５】
上バリア８が上方向へスライド移動すると、やがて、図６の上バリア８の上バリア本体３０の一対の肩部３３が、図７の下バリア９の一対の肩部４５に対して突き当り、図９及び図１０に示すように、上バリア８の上方向へのスライド移動に伴って、下バリア９が上方向へ上バリア８と一緒になってスライド移動する。そして、この結果、やがて、図１０に示すように一対の開口１１が上バリア８と下バリア９によって閉塞されたレンズ保護状態となる。参考までに、図１１には、図１０のレンズ保護状態における上バリア８と下バリア９、スイングアーム２０の関係を示す。
【００５６】
また、図１０の状態で、撮影を開始すべく、３Dデジタルビデオカメラ１の図示しない電源ボタンが再び押下されると、３Dデジタルビデオカメラ１の制御部は、図４の電気モータ２６を起動させる。即ち、電気モータ２６は、スイングアーム２０を退避回転方向Oに回転駆動させる。スイングアーム２０の退避回転方向Oへの回転により、上バリア８及び下バリア９は、下方向へとスライド移動し始める。そして、下バリア９が退避位置に到達すると、スイングアーム２０の退避回転方向Oへの回転により、上バリア８が単独で、下方向へとスライド移動する。この結果、図８に示すように一対の開口１１が上バリア８によっても下バリア９によっても全く閉塞されない撮影可能状態となる。
【００５７】
なお、撮影可能状態とレンズ保護状態の両状態において、トーションスプリング２８によりテンションをかけているが、下バリア９の一対の座部４３と一対の肩部４５がそれぞれ対称に配置されているため、上バリア用スライドガイド１２とガイド突起３１及びガイド兼被駆動突起３２の嵌合クリアランスにより生じる若干のバリアの傾きを矯正して水平出しを行うことができる。
【００５８】
以上に本願発明の第１実施形態を説明したが、上記第１実施形態の特長は以下の通りである。
【００５９】
即ち、３Dデジタルビデオカメラ１（複眼撮像装置）は、レンズLと、レンズLによって被写体像が結像されるCCD６（撮像素子）と、を有する撮像ユニット３（撮像手段）を一対で備える。３Dデジタルビデオカメラ１は、一対の撮像ユニット３に対応した一対の開口１１が形成されたバリアベース７と、一対の開口１１を閉塞するための板状の上バリア８（バリア）と、上バリア８がバリアベース７に対して、高さ方向（一対の開口１１が並ぶ方向に対して略直交する方向）にスライド移動自在とするためのガイド機構E（案内手段）と、上バリア８をスライド移動させる駆動ユニット１０（駆動手段）と、を備える。ガイド機構Eは、一対の開口１１から略等しい距離に配置されている。以上の構成によれば、ガイド機構Eが上バリア８の長手方向の両端部に配置されている一般的な構成と比較して、上バリア８のスタック現象を抑制することができる。
【００６０】
なお、図１に示すように、ガイド機構Eは、一対の開口１１の間に配置されていると言及できる。更には、ガイド機構Eは、並列方向（一対の開口１１が並ぶ方向）において、一対の開口１１の間に配置されていると言及できる。このような表現でも、ガイド機構Eが上バリア８の長手方向の両端部に配置されている一般的な構成と比較した際の上記の技術的効果の発生要件を特定することができる。
【００６１】
また、ガイド機構Eは、バリアベース７に形成され、高さ方向（一対の開口１１の並ぶ方向に対して略直交する方向）に延びる上バリア用スライドガイド１２（案内溝）と、上バリア８に形成され、上バリア用スライドガイド１２内に挿入されるガイド突起３１及びガイド兼被駆動突起３２と、によって構成されている。以上の構成によれば、ガイド機構Eが簡素な構成で実現される。
【００６２】
なお、上記に代えて、ガイド機構Eは、上バリア８に形成され、高さ方向に延びる案内溝と、バリアベース７に形成され、案内溝内に挿入される突起と、によって構成してもよい。
【００６３】
また、駆動ユニット１０は、ガイド兼被駆動突起３２が挿入される長孔２５が形成されたスイングアーム２０（駆動アーム）と、スイングアーム２０を駆動する駆動源２１と、によって構成されている。以上の構成によれば、駆動ユニット１０が簡素な構成で実現される。
【符号の説明】
【００６４】
１  ３Dデジタルビデオカメラ
２  カメラ本体
３  撮像ユニット
４  バリアユニット
７  バリアベース
８  上バリア
１０  駆動ユニット
１２  上バリア用スライドガイド
２０  スイングアーム
２１  駆動源
【図１】
2013167817.tif 000003
【図２】
2013167817.tif 000004
【図３】
2013167817.tif 000005
【図４】
2013167817.tif 000006
【図５】
2013167817.tif 000007
【図６】
2013167817.tif 000008
【図７】
2013167817.tif 000009
【図８】
2013167817.tif 000010
【図９】
2013167817.tif 000011
【図１０】
2013167817.tif 000012
【図１１】
2013167817.tif 000013